(57)【要約】      （修正有）【課題】二つのコネクタを備え、外蓋が本体から外れて紛失してしまうことがないＵＳＢフラッシュドライブを提供する。【解決手段】フラッシュドライブ１００は、中空外殻体４０、本体１０、第一外蓋２０、及び第二外蓋３０を備える。本体にはメモリユニット及び中央処理ユニットを内蔵する。本体は、両端に第一コネクタ１１及び第二コネクタ１２を有し、第一及び第二コネクタはそれぞれ、中空外殻体４０の外側に露出される。第一外蓋２０は第一コネクタの外部に被嵌し、第一外蓋と中空外殻体間は第一連結部４１によって固着され、第二外蓋３０は第二コネクタの外部に被嵌し、第二外蓋と中空外殻体間は第二連結部４２によって固着される。【選択図】図３
0003191556.tif 000002
【実用新案登録請求の範囲】
【請求項１】
中空外殻体、本体、第一外蓋、及び第二外蓋を備えるＵＳＢフラッシュドライブであって、
前記本体は、前記中空外殻体内に嵌着固定し、当該本体にはメモリユニット及び中央処理ユニットを内蔵し、当該本体の両端には、第一コネクタ及び第二コネクタをそれぞれ設け、当該第一コネクタ及び当該第二コネクタは当該中空外殻体の外側に露出させており、  前記第一外蓋は、第一連結部を用いて前記中空外殻体に固着し、尚且つ前記第一コネクタの外部に被嵌し、
前記第二外蓋は、第二連結部を用いて前記中空外殻体に固着し、尚且つ前記第二コネクタの外部に被嵌することを特徴とするＵＳＢフラッシュドライブ。
【請求項２】
前記第一外蓋の中央に前記第一コネクタに対応させる第一挿入口を設け、前記第二外蓋の中央に前記第二コネクタに対応させる第二挿入口を設け、蓋をした時、当該第一コネクタは当該第一挿入口内に納められ、当該第二コネクタは当該第二挿入口内に納められることを特徴とする請求項１に記載のＵＳＢフラッシュドライブ。
【請求項３】
前記第一コネクタは前記本体の一端に設け、前記第二コネクタは当該本体の他の一端に設けることを特徴とする請求項１に記載のＵＳＢフラッシュドライブ。
【請求項４】
前記第一連結部は、前記中空外殻体の一方に固設し、前記第二連結部は、当該中空外殻体の別の一方に固設することを特徴とする請求項１に記載のＵＳＢフラッシュドライブ。
【請求項５】
前記中空外殻体、前記第一連結部、前記第二連結部、前記第一外蓋、及び前記第二外蓋は、弾性材料を用いて一体成形されることを特徴とする請求項１に記載のＵＳＢフラッシュドライブ。
【請求項６】
前記弾性材料は環境保護に役立つシリコンゲルであることを特徴とする請求項５に記載のＵＳＢフラッシュドライブ。
【請求項７】
前記ＵＳＢフラッシュドライブは、装飾外殻をさらに備え、当該装飾外殻は、前記中空外殻体の外部に嵌着することを特徴とする請求項１に記載のＵＳＢフラッシュドライブ。
【請求項８】
前記ＵＳＢフラッシュドライブは、吸盤をさらに備え、当該吸盤を前記第一外蓋の後表面に固設することを特徴とする請求項１に記載のＵＳＢフラッシュドライブ。
【考案の詳細な説明】
【技術分野】
【０００１】
本考案は特に、二種類の異なる規格のインタフェースを有するＵＳＢフラッシュドライブに関する。
【背景技術】
【０００２】
ＵＳＢフラッシュドライブは、フラッシュメモリを用いてデータを迅速に保存及び伝送する媒体であり、幅広い層のユーザーに使用されている。従来の電子機器は、例えばパーソナルコンピュータ、プリンタ等の電子機器にはほとんど、標準型の伝送インタフェースとしてＵＳＢ（Universal Serial Bus）端子が用いられている。だが、現在普及しているスマートフォン、デジタルカメラ等の電子機器は、体積等の理由によりＵＳＢコネクタを用いることができず、マイクロＵＳＢコネクタを標準型伝送インタフェースとしている。ＵＳＢ及びマイクロＵＳＢの二種のコネクタを同時に適用できるように、現在の市場には、多くのＵＳＢフラッシュドライブがＵＳＢコネクタとマイクロＵＳＢコネクタの二種の異なる規格のコネクタを設けている。ＵＳＢとマイクロＵＳＢの二つのコネクタを備えた公知のフラッシュドライブは、長方形の本体を含む構造であり、本体の一端にはＵＳＢコネクタを、別の一端にはマイクロＵＳＢコネクタが設けられ、二つのコネクタは何れもメモリモジュール内のデータ保存チップに連結され、対応する外蓋に保護されている。
【考案の概要】
【考案が解決しようとする課題】
【０００３】
前記ＵＳＢフラッシュドライブを使用する際は、対応する外蓋を外す必要があり、外蓋を取り外した後に、適当な保管がなされなかった場合、遺失を招いたり、元々の保護機能を失わせてしまうこともある。
【０００４】
本考案の目的は、公知技術の存在の欠点及び不足点に対して、二つのコネクタを備え、蓋が外れることのないＵＳＢフラッシュドライブの提供にある。
【課題を解決するための手段】
【０００５】
前述の目的を実現するために提供する本考案のフラッシュドライブは、中空外殻体、本体、第一外蓋、及び第二外蓋を備える。
本体にはメモリユニット及び中央処理ユニットを内蔵する。本体は、両端の第一コネクタ及び第二コネクタをそれぞれ備える。本体を中空外殻体内に嵌着固定し、第一コネクタ及び第二コネクタは中空外殻体の外側にそれぞれ露出させる。
第一外蓋を第一コネクタの外部に被嵌し、第一外蓋と中空外殻体間は第一連結部を用いて固着する。
第二外蓋を第二コネクタの外部に被嵌し、第二外蓋と中空外殻体間は第二連結部を用いて固着する。
【０００６】
前述のとおり、本考案のＵＳＢフラッシュドライブは、本体に中空外殻体を嵌設し、中空外殻体には一端を第一外蓋に固着させる第一連結部と、一端を第二外蓋に固着させる第二連結部を固設する。第一外蓋または第二外蓋を開くか、第一外蓋と第二外蓋を共に開いて第一コネクタ及び第二コネクタを使用する時、第一連結部及び第二連結部が第一外蓋及び第二外蓋にそれぞれ固着されているため、第一外蓋及び第二外蓋が本体から離脱して紛失してしまうことがない。それ故に使用上の利便性を高めることができる。
【考案の効果】
【０００７】
蓋が外れることのないＵＳＢフラッシュドライブを提供することで蓋が離脱して紛失してしまうことがなくなる。それ故に使用上の利便性を高めることができる。
【図面の簡単な説明】
【０００８】
【図１】本考案の一実施形態によるＵＳＢフラッシュドライブの斜視図である。
【図２】本考案の一実施形態によるＵＳＢフラッシュドライブの第一外蓋を開いた状態を示す図である。
【図３】本考案の一実施形態によるＵＳＢフラッシュドライブの分解斜視図である。
【図４】図１に示したＵＳＢフラッシュドライブの第一外蓋を開いた状態を示す図である。
【考案を実施するための形態】
【０００９】
本考案の技術内容、構造特徴、目的、及び実現する効果について、下記に図面を参照した実施形態を挙げて詳しい説明をする。
【００１０】
図１及び図２に示すとおり、本考案のフラッシュドライブ１００は、本体１０、第一外蓋２０、第二外蓋３０、中空外殻体４０、装飾外殻５０、及び吸盤６０を備える。
【００１１】
図３を参照するとおり、本体１０にはメモリユニット（未図示）及び中央処理ユニット（未図示）を内蔵する。本体１０は、第一コネクタ１１及び第二コネクタ１２を備える。第一コネクタ１１は本体１０の一端に設け、第二コネクタ１２は本体１０の他の一端に設ける。
【００１２】
図１、図２、及び図４に示す通り、第一外蓋２０の中央に第一コネクタ１１に対応させる第一挿入口２１を設け、第二外蓋３０の中央に第二コネクタ１２に対応させる第二挿入口３１を設ける。第一外蓋２０は第一コネクタ１１の外部に被嵌し、蓋をした時、第一コネクタ１１は第一挿入口２１内に納められ、第二コネクタ１２は第二挿入口３１内に納められる。
【００１３】
図２に示す通り、中空外殻体４０は本体１０に嵌着し、第一コネクタ１１及び第二コネクタ１２は中空外殻体４０の外側に露出させる。その上に一端を第一外蓋２０に固着させる第一連結部４１と、一端を第二外蓋３０に固着させる第二連結部４２を固設する。第一連結部４１は中空外殻体４０の一方に固設し、第二連結部４２は中空外殻体４０の別の一方に固設する。
【００１４】
中空外殻体４０、第一連結部４１、第二連結部４２、第一外蓋２０、及び第二外蓋３０は弾性材料を用いた一体成形によって構成される。本実施形態において、弾性材料は環境保護に役立つシリコンゲルである。
【００１５】
図１及び図２に示す通り、装飾外殻５０は中空外殻体４０の外部に嵌着し、吸盤６０を第一外蓋２０の後表面に固着する。
【００１６】
図１乃至図４に示す通り、本実施形態において、中空外殻体４０はテディベアのボディをなし、第一外蓋２０はテディベアのヘッドである。第一外蓋２０の上部には、両耳をなした装飾凸部２２を突設し、そのうちの一つの装飾凸部２２には吊り下げ穴２３を設ける。第二外蓋３０は、テディベアの下半身及び座った状態で前にまっすぐに伸ばした両足である。中空外殻体４０の第一連結部４１及び第二連結部４２はテディベアの両手であり、装飾外殻５０はテディベアの衣服である。本考案のフラッシュドライブ１００は、中空外殻体４０、第一外蓋２０、第二外蓋３０、及び装飾外殻５０によってテディベアを表現し、外観の美しさを高めるものである。
【００１７】
前述した通り、本考案のフラッシュドライブ１００は、本体１０に中空外殻体４０を嵌設し、中空外殻体４０には一端を第一外蓋２０に固着させる第一連結部４１と、一端を第二外蓋３０に固着させる第二連結部４２を固設する。第一外蓋２０または第二外蓋３０を開くか、第一外蓋２０と第二外蓋３０を共に開いて第一コネクタ１１または第二コネクタ１２を使用する時、第一連結部４１及び第二連結部４２が第一外蓋２０及び第二外蓋３０にそれぞれ固着されており、第一外蓋２０及び第二外蓋３０は本体１０から離脱することがないため、簡単に紛失しない。よって、使用上の利便性を高めることができる。
【符号の説明】
【００１８】
１００    フラッシュドライブ
１０    本体
１１    第一コネクタ
１２    第二コネクタ
２０    第一外蓋
２１    第一挿入口
２２    装飾凸部
２３    吊り下げ穴
３０    第二外蓋
３１    第二挿入口
４０    中空外殻体
４１    第一連結部
４２    第二連結部
５０    装飾外殻
６０    吸盤
【図１】
0003191556.tif 000003
【図２】
0003191556.tif 000004
【図３】
0003191556.tif 000005
【図４】
0003191556.tif 000006